【手続補正書】
【提出日】令和3年10月26日(2021.10.26)
【手続補正１】
【補正対象書類名】特許請求の範囲
【補正対象項目名】全文
【補正方法】変更
【補正の内容】
【特許請求の範囲】
【請求項１】
幅広形状の中央平板部と、
該中央平板部の左側面より延出する左側側面部と、
該中央平板部の右側面より延出する右側側面部とを備え、
前記左側側面部は前記中央平板部に対して当該ブレーキペダルの踏み込み方向に２０度傾斜していると共に、前記右側側面部は前記左側側面部より延出長さが短く前記中央平板部に対して該踏み込み方向に３０度傾斜していることを特徴とするブレーキペダル。
【請求項２】
幅広形状の中央平板部と、
該中央平板部の左側面より延出する左側側面部と、
該中央平板部の右側面より延出する右側側面部とを備え、
前記左側側面部は前記中央平板部に対して当該ブレーキペダルの踏み込み方向に１５度傾斜していると共に、前記右側側面部は前記左側側面部より延出長さが短く前記中央平板部に対して該踏み込み方向に２０度傾斜していることを特徴とするブレーキペダル。
【請求項３】
前記右側側面部と前記左側側面部はそれぞれ前記中央平板部との境界部分より先端側に向かって幅が狭まる形状を有することを特徴とする請求項１又は２に記載のブレーキペダル。
【請求項４】
請求項１乃至請求項３のいずれかに記載のブレーキペダルを備えることを特徴とする自動車。
【手続補正２】
【補正対象書類名】明細書
【補正対象項目名】０００６
【補正方法】変更
【補正の内容】
【０００６】
即ち、ブレーキは僅かに踏み込んでも十分に減速させることができる。このことから、普段からブレーキ操作になれることにより、緊急時の踏み間違いの防止にも役立つと考えられる。
【手続補正３】
【補正対象書類名】明細書
【補正対象項目名】００１０
【補正方法】変更
【補正の内容】
【００１０】
本発明は、上記課題を解決することを目的として成されたもので、係る課題を解決するため、例えば以下の構成を備える。
即ち、幅広形状の中央平板部と、該中央平板部の左側面より延出する左側側面部と、該中央平板部の右側面より延出する右側側面部とを備え、前記左側側面部は前記中央平板部に対して当該ブレーキペダルの踏み込み方向に２０度傾斜していると共に、前記右側側面部は前記左側側面部より延出長さが短く前記中央平板部に対して該踏み込み方向に３０度傾斜していることを特徴とするブレーキペダルとする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また例えば、幅広形状の中央平板部と、該中央平板部の左側面より延出する左側側面部と、該中央平板部の右側面より延出する右側側面部とを備え、前記左側側面部は前記中央平板部に対して当該ブレーキペダルの踏み込み方向に１５度傾斜していると共に、前記右側側面部は前記左側側面部より延出長さが短く前記中央平板部に対して該踏み込み方向に２０度傾斜していることを特徴とするブレーキペダルとする。前記ブレーキペダルは、前記右側側面部と前記左側側面部はそれぞれ前記中央平板部との境界部分より先端側に向かって幅が狭まる形状を有することを特徴とする。
また、上記いずれかのブレーキペダルを備えることを特徴とする自動車とする。
【手続補正７】
【補正対象書類名】明細書
【補正対象項目名】００１８
【補正方法】変更
【補正の内容】
【００１８】
ブレーキペダル表面の溝の形状は以上の例に限定されるものではなく、クロス状であってもよい。あるいは、滑り止め効果を確保するために、ブレーキペダルをゴムで被覆した構造であっても良い。あるいは、ゴム製のカバーで覆う構造であっても良い。ゴム製の被覆あるいはカバーで覆う構造とすることにより、傾斜した側面部を踏み込んでも確実にブレーキペダルを押し込むことができる。
【手続補正８】
【補正対象書類名】明細書
【補正対象項目名】００２１
【補正方法】変更
【補正の内容】
【００２１】
これは、左足での操作を容易とするためであり、運転中における一般的な左足の位置に近づけ、左足での操作を容易なものとするためである。同様の理由で右側側面部１２０に比し、左側側面部１３０が長くなっている。
【手続補正９】
【補正対象書類名】明細書
【補正対象項目名】００２２
【補正方法】変更
【補正の内容】
【００２２】
さらに、本実施の形態では、右側側面部１２０及び左側側面部１３０共に下方に（ペダル踏み込み方向に）傾斜している。傾斜角度は右側側面部１２０の方が左側側面部１３０より大きくなっている。
具体的な一例を挙げると、例えば中央平板部１１０は縦幅５ｃｍ、横幅７ｃｍとし、右側側面部１２０は横幅（延出長さ）３ｃｍ、先端部の幅３ｃｍであり、左側側面部１３０は横幅（延出長さ）４ｃｍ、先端部の幅３ｃｍである。
【手続補正１０】
【補正対象書類名】明細書
【補正対象項目名】００２４
【補正方法】変更
【補正の内容】
【００２４】
例えば、傾斜角度を右側側面部１２０の傾斜角度は２０度、左側側面部１３０の傾斜角度は１５度に成形してもよい。同様にペダルの大きさも、中央平板部１１０を縦幅４ｃｍ、横幅６ｃｍとし、右側側面部１２０は横幅（延出長さ）３ｃｍ、先端部の幅２ｃｍ、左側側面部１３０は横幅（延出長さ）４ｃｍ、先端部の幅２ｃｍとしても良い。この場合、例えば、右側側面部１２０の傾斜角度は３０度、左側側面部１３０の傾斜角度は２０度に成形している。
【手続補正１１】
【補正対象書類名】明細書
【補正対象項目名】００２５
【補正方法】変更
【補正の内容】
【００２５】
このように左右の側面部１２０、１３０に傾斜を設けたのは、ブレーキペダルを操作するに際して、特に重要なのは初動操作であり、ブレーキペダル１００の両側面部１２０、１３０が傾斜していると、単に右足を左側にずらすのみで、あるいは左足を右側にずらすのみで、自動車のブレーキを作動させることができ、自動車の加速を制限できる。
【手続補正１２】
【補正対象書類名】明細書
【補正対象項目名】００２７
【補正方法】変更
【補正の内容】
【００２７】
これに対して、本実施の形態の場合は、ブレーキペダルが幅広であるためにアクセルペダルは右足で踏み、ワイドサイズのブレーキペダルは左足のみで踏むことが容易にできるので、踏み間違いが起きることを無くすことができる。しかもその際に、ブレーキペダルの左側側面部が傾斜しているため、左足を右側に移動させるのみでブレーキを速やかに左足操作に移行できる。このため、アクセルペダルとブレーキペダルの踏み間違いをなくすことができる。
【手続補正１３】
【補正対象書類名】明細書
【補正対象項目名】００３２
【補正方法】変更
【補正の内容】
【００３２】
以上の説明では、左右の側面部１２０、１３０を備える例について説明したが、左足でのブレーキペダル操作を行わないとの運転者の場合、あるいは、マニアル車の場合には、左側側面部がなく、右側側面部のみ備えるものであっても良い。この場合でも、右足をシフトするのみでブレーキを作動させることができ、スムーズなブレーキ操作が実現すると共に、足をスライドさせてブレーキを操作することが通常動作になり、ブレーキペダルとアクセルペダルとの操作上の違いを体にしみこませることにより、アクセルペダルとブレーキペダルとの踏み間違いに容易に気づくことができる。
【手続補正１４】
【補正対象書類名】明細書
【補正対象項目名】００４０
【補正方法】変更
【補正の内容】
【００４０】
以上説明したように、各実施の形態によれば、
１．ボルト２本、蝶ナット２個で工具が必要なく、手で取り付け、取り外しが可能で簡単である。
２．ステンレス製とすることにより、半永久的なものとできる。
３．ドライバーが楽な姿勢で左足ブレーキを操作可能である。
４．ワイドサイズであり、先端が傾斜しているため、運転時常に左足のつま先等をブレーキペダル傾斜部に乗せた状態で運転することで、とっさの時でもブレーキを踏み遅れることが無く、安全である。
５．右足での操作の場合でも、右足のつま先を左側にスライドさせるのみでブレーキを作動させることができるため、とっさの時でもブレーキを踏み遅れることが無く、安全である。
６，左足でのブレーキペダル操作が日常化されるとアクセルペダルとブレーキペダルとの踏み間違いを無くすことができる。
７．右足でのブレーキペダル操作とアクセルペダル操作を異なるものと認識できることから、アクセルペダルとブレーキペダルとの踏み間違いを無くすことが可能となると共に、例え踏み間違ってもすぐに気づくことができる。
８．最大の特徴はドライバー自身と他人の生命財産を守ることが出来ることである。